(57)【要約】【課題】画像が投影可能な領域を有効に活用しながら、閲覧者に対して訴求力の高い画像を投影することを可能とする。【解決手段】装置の筐体に対して常設されるサイネージボードSBと、サイネージボードSBを含む投影可能領域PAに画像を投影する投影系(21〜25)と、投影可能領域PA内の、サイネージボードSBを外れた位置に配置可能なサブスクリーンSS１，SS２と、サブスクリーンSS１，SS２を投影可能領域ＰＡに対して装脱させる駆動機構PD１，PD２と、投影する画像に応じてサブスクリーンSS１，SS２を駆動機構PD１，PD２により投影可能領域PAに対して装脱させるＣＰＵ(27)と、を備える。【選択図】図１
2016057478.tif 000002
【特許請求の範囲】
【請求項１】
第１のスクリーンと、
上記第１のスクリーンを含む投影領域に画像を投影する投影部と、
上記投影部による投影領域内、且つ上記第１のスクリーンを外れた位置に配置可能な第２のスクリーンと、
上記第２のスクリーンを移送する移送機構と、
上記投影部で投影する画像に応じて上記第２のスクリーンを上記移送機構により移送させるスクリーン制御部と、
を備えることを特徴とする投影装置。
【請求項２】
上記第１のスクリーンは、装置の筐体に対して常設されており、
上記第２のスクリーンは、上記投影領域内の位置が異なる複数のスクリーンからなり、
上記スクリーン制御部は、上記投影部で投影する画像に応じて上記複数の第２のスクリーンを選択的に上記投影領域内に配置させる
ことを特徴とする請求項１記載の投影装置。
【請求項３】
上記スクリーン制御部は、上記投影部で投影する画像に同期して上記移送機構により上記第２のスクリーンを投影領域に対して装脱させることを特徴とする請求項１または２記載の投影装置。
【請求項４】
第１のスクリーン、上記第１のスクリーンを含む投影領域に画像を投影する投影部、上記投影部による投影領域内、且つ上記第１のスクリーンを外れた位置に配置可能な第２のスクリーン、及び上記第２のスクリーンを移送する移送機構を備えた装置での投影方法であって、
上記投影部で投影する画像に応じて上記第２のスクリーンを上記移送機構により移送させるスクリーン制御工程を有したことを特徴とする投影方法。
【請求項５】
第１のスクリーン、上記第１のスクリーンを含む投影領域に画像を投影する投影部、上記投影部による投影領域内、且つ上記第１のスクリーンを外れた位置に配置可能な第２のスクリーン、及び上記第２のスクリーンを移送する移送機構を備えた装置が内蔵したコンピュータが実行するプログラムであって、上記コンピュータを、
上記投影部で投影する画像に応じて上記第２のスクリーンを上記移送機構により移送させるスクリーン制御部として機能させることを特徴とするプログラム。
【発明の詳細な説明】
【技術分野】
【０００１】
本発明は、例えば商店の売り場に設置して各種商品の紹介を行なう装置などに好適な投影装置、投影方法及びプログラムに関する。
【背景技術】
【０００２】
閲覧者に対する印象を高めるべく、映像コンテンツをリアプロジェクション投影により人型等の非定形スクリーンに投影するようにした映像出力装置搭載機器が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術では、矩形等の定形ではなく、あえて人型などの不定形な形状を有するスクリーンに対して投影を行ない、閲覧者に対する視覚上の訴求力を向上させるものとしている。
【０００５】
一般的にこの種の投影装置では、光像を形成する例えば液晶パネルやマイクロミラー素子等の表示素子は、矩形等の定形の表示領域を有する一方で、投影対象となるスクリーンは上述した人型などの不定形の形状を有しているものが多い。
【０００６】
そのため、特にリアプロジェクション方式でスクリーンの背面側から投影を行なう上記特許文献に記載されたような装置では、表示素子の表示領域の一部で投影用の画像を表示すると共に、それ以外の表示領域を黒表示として光源からの光を遮断させることで、スクリーンを外れた範囲の投影光が、装置の前に位置する閲覧者に照射されることがないようにしている。
【０００７】
このように不定形の形状をしたスクリーンを用いる投影装置、特に複数の異なる不定形のスクリーンを選択的に交換できる投影装置では、表示素子が有する表示領域を充分に活用していない。当該領域を有効に活用するためには、投影可能な範囲に対応した形状、例えば矩形のスクリーンを用いれば良いことになるが、そうした場合、人型等の不定形のスクリーンを用いた場合に比して、商品情報等の画像を投影する際の閲覧者に対する訴求力が増加するか否かは疑問である。
【０００８】
本発明は上記のような実情に鑑みてなされたもので、その目的とするところは、画像が投影可能な領域を有効に活用しながら、閲覧者に対して訴求力の高い画像を投影することが可能な投影装置、投影方法及びプログラムを提供することにある。
【課題を解決するための手段】
【０００９】
本発明の一態様は、第１のスクリーンと、上記第１のスクリーンを含む投影領域に画像を投影する投影部と、上記投影部による投影領域内、且つ上記第１のスクリーンを外れた位置に配置可能な第２のスクリーンと、上記第２のスクリーンを移送する移送機構と、上記投影部で投影する画像に応じて上記第２のスクリーンを上記移送機構により移送させるスクリーン制御部と、を備えることを特徴とする。
【発明の効果】
【００１０】
本発明によれば、画像が投影可能な領域を有効に活用しながら、閲覧者に対して訴求力の高い画像を投影することが可能となる。
【図面の簡単な説明】
【００１１】
【図１】本発明の一実施形態に係るサイネージ装置の外観構成を示す斜視図。
【図２】同実施形態に係るサブスクリーンの開閉状態を説明する図。
【図３】同実施形態に係るサイネージ装置内部の電子回路の機能構成を示すブロック図。
【図４】同実施形態に係る画像投影時の基本的な処理内容を示すフローチャート。
【発明を実施するための形態】
【００１２】
以下、本発明を店舗等に設置されるサイネージ装置に適用した場合の一実施形態について図面を参照して説明する。
【００１３】
図１は、上記サイネージ装置１０の外観構成を示す斜視図である。サイネージ装置１０は、プロジェクタ技術を用いた電子マネキンであり、装置筐体１０Ａの上面前端側に、交換可能なメインスクリーンとなるサイネージボードＳＢが立設される。このサイネージボードＳＢは、図中に破線で示すサイネージ１０の本来は矩形の投影可能領域ＰＡ内に収まるように設置された、任意形状を有する半透過板状の構成を有する。
【００１４】
サイネージボードＳＢは、装置筐体１０Ａの上面に設けられた、図示しないリアプロジェクション方式の投影レンズから出射された光像が背面側から投影されることで、例えば図示するような画像を表示する。
【００１５】
このサイネージボードＳＢの下部寄りには複数、ここでは４個のボタン表示部Ｂ１〜Ｂ４を合わせて投影しており、当該ボタン下部のサイネージボードＳＢ取り付け部に、対応する操作ボタンＣ１〜Ｃ４を配置している。ボタン表示部Ｂ１〜Ｂ４の表示内容に併せて操作ボタンＣ１〜Ｃ４中のいずれかを閲覧者がタッチ操作した場合、操作ボタンＣ１〜Ｃ４の直下部に配列された、それぞれが指向性を有するライン状の赤外線センサアレイによって、当該操作位置が検知可能となっている。
【００１６】
また装置筐体１０Ａの前面下部には、このサイネージ装置１０の上記操作ボタンＣ１〜Ｃ４を操作する人物を撮影するための撮影部ＩＭと、スピーカ部ＳＰ，ＳＰとを備える。
【００１７】
さらに同図では右側面しか示していないが、装置筐体１０Ａの両側面には、サブスクリーンＳＳ１，ＳＳ２とそれらの駆動機構ＰＤ１，ＰＤ２が設けられる。これら駆動機構ＰＤ１，ＰＤ２は、必要に応じてサブスクリーンＳＳ１，ＳＳ２を選択的に上記投影可能領域ＰＡに配置されて、サイネージボードＳＢで投影される画像と関連した画像が投影される。駆動機構ＰＤ１，ＰＤ２内には、サーボモータとギヤ機構によりサブスクリーンＳＳ１，ＳＳ２を連結したロッドＲＤ１，ＲＤ２の取り付け角度を２段階に渡って、各略９０°ずつ回動させる。
【００１８】
図２（Ａ）は、装置筐体１０Ａをその上方から見た構成を示す。サブスクリーンＳＳ１，ＳＳ２は、これらを投影に用いない収納状態では、装置筐体１０Ａの側面後方側に位置する。同図（Ａ）では、サイネージ装置１０左側（図中の右側）のサブスクリーンＳＳ２及びロッドＲＤ２が、矢印ＡＲ２１で示すように、駆動機構ＰＤ２により装置筐体１０Ａの前面側に回動された第１展開状態を示す。
【００１９】
図２（Ｂ）は、装置筐体１０Ａをその前方から見た構成を示す。サブスクリーンＳＳ１が依然として収納状態にある一方で、サブスクリーンＳＳ２及びロッドＲＤ２が、矢印ＡＲ２２で示すように、駆動機構ＰＤ２により上記投影可能領域ＰＡの上記サイネージボードＳＢからは外れた位置に回動された第２展開状態を示す。  
このように、サブスクリーンＳＳ１，ＳＳ２は駆動機構ＰＤ１，ＰＤ２により選択的に投影可能領域ＰＡ内のサイネージボードＳＢから外れた位置に展開して移送させることが可能となる。
【００２０】
次に図３により上記サイネージ装置１０の主として電子回路の機能構成を説明する。同図中、画像データ及び音声データをコンテンツデータとしてファイル化して予めコンテンツメモリ２０に記憶しており、コンテンツメモリ２０から読出された画像データは、バスＢを介して投影画像処理部２１に送られる。
【００２１】
投影画像処理部２１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を駆動する。
【００２２】
このマイクロミラー素子２２は、アレイ状に配列された複数個の微小ミラーの各傾斜角度を個々に高速でオン／オフ動作して表示動作することで、その反射光により光像を形成する。
【００２３】
一方で、光源部２３から時分割でＲ，Ｇ，Ｂの原色光が循環的に出射される。光源部２３は、半導体発光素子であるＬＥＤを有し、Ｒ，Ｇ，Ｂの原色光を時分割で繰返し出射する。光源部２３が有するＬＥＤは、広義でのＬＥＤとして、ＬＤ（半導体レーザ）や有機ＥＬ素子を含むものとしても良い。
【００２４】
また、ＬＥＤから出射された光を蛍光体に照射することで励起される、元の光とは波長が異なる原色光を用いるものとしても良い。この光源部２３からの原色光が、ミラー２４で全反射して上記マイクロミラー素子２２に照射される。
【００２５】
そして、マイクロミラー素子２２での反射光で光像が形成され、形成された光像が投影レンズ部２５を介して、上記投影可能領域ＰＡ内のサイネージボードＳＢ及びサブスクリーンＳＳ１，ＳＳ２に投射される。
【００２６】
また、上記コンテンツメモリ２０から読出された音声データは、バスＢを介して音声処理部２６へ送信される。この音声処理部２６は、例えばＰＣＭ音源などの音源回路を有し、送られてきた音声データに基づいてアナログの音声信号を再生し、上記スピーカ部ＳＰ，ＳＰより放音させる。
【００２７】
上記各回路の動作すべてをＣＰＵ２７が制御する。このＣＰＵ２７は、メインメモリ２８及びプログラムメモリ２９と直接接続される。メインメモリ２８は、例えばＳＲＡＭで構成され、ＣＰＵ２７のワークメモリとして機能する。プログラムメモリ２９は、電気的書換可能な不揮発性メモリ、例えばフラッシュＲＯＭで構成され、ＣＰＵ２７が実行する動作プログラムや各種定型データ等を記憶する。
【００２８】
ＣＰＵ２７は、上記プログラムメモリ２９に記憶されている動作プログラムや定型データ等を読出し、メインメモリ２８に展開して記憶させた上で当該プログラムを実行することにより、このサイネージ装置１０を統括して制御する。
【００２９】
上記ＣＰＵ２７は、操作部３０からの操作信号に応じて各種投影動作を実行する。この操作部３０は、サイネージ装置１０の本体に備える、上記操作ボタンＣ１〜Ｃ４等への操作信号を上記ＣＰＵ２７へ送出する。
【００３０】
上記ＣＰＵ２７はさらに、上記バスＢを介してモータ駆動部３１、及び撮影画像処理部３２と接続される。
【００３１】
モータ駆動部３１は、上記駆動機構ＰＤ１，ＰＤ２内に設けられたサーボモータ（Ｍ）３４，３５を駆動して、上記駆動機構ＰＤ１，ＰＤ２によりサブスクリーンＳＳ１，ＳＳ２を個別に展開及び収納させる。
【００３２】
撮影画像処理部３２は、上記撮影部ＩＭの一部を構成する超広角系の撮影レンズ部３６の合焦位置に配置された固体撮像素子、例えばＣＭＯＳイメージセンサ３７を走査駆動して、サイネージ装置１０の前方を含む広い範囲を撮影した画像信号を得る。
【００３３】
このＣＭＯＳイメージセンサ３７の出力する画像信号は、Ａ／Ｄ変換回路３８でデジタル化された後に上記撮影画像処理部３２に送られる。撮影画像処理部３２は、得られた画像データを上記ＣＰＵ２７へ送出する。
【００３４】
次に上記実施形態の動作について説明する。  
図４は、サイネージ装置１０でコンテンツメモリ２０に記憶したコンテンツデータを再生する際、ＣＰＵ２７がコンテンツデータを構成する画像データを再生する際に実行する、主としてサブスクリーンＳＳ１，ＳＳ２の移送に関する処理内容を抽出して示すものである。
【００３５】
なお、上記コンテンツメモリ２０に記憶されたコンテンツデータを構成する画像データとしては、例えばサブスクリーンＳＳ１，ＳＳ２を必要とせずにメインスクリーンであるサイネージボードＳＢのみで投影を行なう画像（以下「タイプＡ」と称する）、サイネージボードＳＢとサブスクリーンＳＳ１，ＳＳ２（の少なくとも一方）の双方を用いて投影を行なう画像（以下「タイプＢ」と称する）によってその画像タイプを識別する情報が付加されているものとする。
【００３６】
さらに、上記サイネージボードＳＢとサブスクリーンＳＳ１，ＳＳ２（の少なくとも一方）の双方を用いて投影を行なう画像データに関しては、本編の画像データに先立って、サブスクリーンＳＳ１，ＳＳ２が上記図２（Ｂ）で示したように、第１展開状態から投影可能領域ＰＡ内に移送される第２展開状態にいたる（第２のスクリーンを投影領域に対して装脱させる）過程で、投影可能領域ＰＡ内に入った時点から、本編となる画像に先立って予備的なイントロ画像を投影するタイプの画像データも取扱う。
【００３７】
このように、投影可能領域ＰＡ内であれば、サブスクリーンＳＳ１，ＳＳ２が第２展開状態に到達する前の、途中の段階の位置にあっても、サブスクリーンＳＳ１，ＳＳ２に画像を投影することができる。つまり、投影内容に合わせてサブスクリーンＳＳ１，ＳＳ２の位置が変わるように画像データと同期して動かすことができる。この際、投影部からの距離はほぼ同じである。
【００３８】
サブスクリーンＳＳ１，ＳＳ２の双方は、収納した状態をホームポジションとし、上記したタイプＢの画像を投影する場合にその都度投影可能領域ＰＡ内に位置するよう展開駆動され、当該画像の投影終了に際しては元の収納状態に戻るものとする。
【００３９】
その処理当初にＣＰＵ２７は、次に投影する画像データをコンテンツメモリ２０から読出すと（ステップＳ１０１）、まずその画像データのタイプ情報を判別した上で（ステップＳ１０２）、サブスクリーンＳＳ１，ＳＳ２を必要とせずにサイネージボードＳＢでのみ画像を投影するタイプＡの画像であるか否かを判断する（ステップＳ１０３）。
【００４０】
ここでタイプＡの画像データではないと判断した場合（ステップＳ１０３のＮｏ）、画像データはタイプＢであることになるので、さらにＣＰＵ２７はその画像データに予備的なイントロ画像の投影を行なうための画像データが含まれているか否かを判断する（ステップＳ１０４）。
【００４１】
イントロ画像用の画像データが含まれていると判断した場合（ステップＳ１０４のＹｅｓ）、ＣＰＵ２７はモータ駆動部３１によりサーボモータ３４，３５と上記駆動機構ＰＤ１，ＰＤ２を用いてサブスクリーンＳＳ１，ＳＳ２を展開させながら、サブスクリーンＳＳ１，ＳＳ２が投影可能領域ＰＡ内で移送されるタイミングに同期してイントロ画像の投影を実行する（ステップＳ１０５）。
【００４２】
また上記ステップＳ１０４において、イントロ画像用の画像データが含まれていないと判断した場合（ステップＳ１０４のＮｏ）、ＣＰＵ２７はモータ駆動部３１によりサーボモータ３４，３５と上記駆動機構ＰＤ１，ＰＤ２を用いてサブスクリーンＳＳ１，ＳＳ２を展開させる（ステップＳ１０６）。
【００４３】
上記ステップＳ１０５でのサブスクリーンＳＳ１，ＳＳ２を展開させながらのイントロ画像の投影処理後、または上記ステップＳ１０６でのサブスクリーンＳＳ１，ＳＳ２の展開処理後、あるいは上記ステップＳ１０３においてコンテンツメモリ２０から読出した画像データがタイプＡであると判断した後（ステップＳ１０３のＹｅｓ）、ＣＰＵ２７は本編の画像データを用いた投影動作を実行しながら（ステップＳ１０７）、当該画像の投影が終了するのを待機する（ステップＳ１０８）。
【００４４】
そして、本編の画像投影が終了したと判断した時点で（ステップＳ１０８のＹｅｓ）、ＣＰＵ２７はサブスクリーンＳＳ１，ＳＳ２が展開されていればモータ駆動部３１によりサーボモータ３４，３５と上記駆動機構ＰＤ１，ＰＤ２を用いてサブスクリーンＳＳ１，ＳＳ２を閉じて収納させた上で（ステップＳ１０９）、次の画像の投影に備えるべく、上記ステップＳ１０１からの処理に戻る。
【００４５】
以上詳述した如く本実施形態によれば、画像が投影可能な領域を有効に活用しながら、投影する画像毎に、その都度必要に応じてサブスクリーンＳＳ１，ＳＳ２がサイネージボードＳＢに対して展開されるため、サイネージ装置１０の周囲に存在すると思われる閲覧者に対して訴求力の高い画像を投影することが可能となる。
【００４６】
また上記実施形態では、メインスクリーンであるサイネージボードＳＢに対し、複数のサブスクリーンＳＳ１，ＳＳ２を設けて、必要によりこれらを適宜組み合わせた画像の投影を行なうものとしたので、投影する画像の工夫次第で、閲覧者に対してより訴求力のある高い画像を提供できる。
【００４７】
さらに上記実施形態では、本編の画像に先立ってイントロ画像として、投影可能領域ＰＡ内を移送されるサブスクリーンＳＳ１，ＳＳ２の展開時に同期した画像を投影するものとしたので、投影する画像に対する変化を持たせ、閲覧者に対してより訴求力のある高い画像を提供できる。
【００４８】
なお上記実施形態では、サイネージボードＳＢにサブスクリーンＳＳ１，ＳＳ２を併用し、本編画像に先立ったイントロ画像を投影する場合について説明したが、本発明はこれに限らず、本編画像の投影後にサブスクリーンＳＳ１，ＳＳ２を収納する過程で、サブスクリーンＳＳ１，ＳＳ２が投影可能領域ＰＡ内にある間にサブスクリーンＳＳ１，ＳＳ２を用いたエンディング画像を投影するものとしても良い。
【００４９】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５０】
以下に、本願出願の当初の特許請求の範囲に記載された発明を付記する。  
請求項１記載の発明は、第１のスクリーンと、上記第１のスクリーンを含む投影領域に画像を投影する投影部と、上記投影部による投影領域内、且つ上記第１のスクリーンを外れた位置に配置可能な第２のスクリーンと、上記第２のスクリーンを移送する移送機構と、上記投影部で投影する画像に応じて上記第２のスクリーンを上記移送機構により移送させるスクリーン制御部と、を備えることを特徴とする。  
請求項２記載の発明は、上記請求項１記載の発明において、上記第１のスクリーンは、装置の筐体に対して常設されており、上記第２のスクリーンは、上記投影領域内の位置が異なる複数のスクリーンからなり、上記スクリーン制御部は、上記投影部で投影する画像に応じて上記複数の第２のスクリーンを選択的に上記投影領域内に配置させることを特徴とする。  
請求項３記載の発明は、上記請求項１または２記載の発明において、上記スクリーン制御部は、上記投影部で投影する画像に同期して上記移送機構により上記第２のスクリーンを投影領域に対して装脱させることを特徴とする。  
請求項４記載の発明は、第１のスクリーン、上記第１のスクリーンを含む投影領域に画像を投影する投影部、上記投影部による投影領域内、且つ上記第１のスクリーンを外れた位置に配置可能な第２のスクリーン、及び上記第２のスクリーンを移送する移送機構を備えた装置での投影方法であって、上記投影部で投影する画像に応じて上記第２のスクリーンを上記移送機構により移送させるスクリーン制御工程を有したことを特徴とする。  
請求項５記載の発明は、第１のスクリーン、上記第１のスクリーンを含む投影領域に画像を投影する投影部、上記投影部による投影領域内、且つ上記第１のスクリーンを外れた位置に配置可能な第２のスクリーン、及び上記第２のスクリーンを移送する移送機構を備えた装置が内蔵したコンピュータが実行するプログラムであって、上記コンピュータを、上記投影部で投影する画像に応じて上記第２のスクリーンを上記移送機構により移送させるスクリーン制御部として機能させることを特徴とする。
【符号の説明】
【００５１】
１０…サイネージ装置、
１０Ａ…装置筐体、
２１…投影画像処理部、
２２…マイクロミラー素子、
２３…光源部、
２４…ミラー、
２５…投影レンズ部、
２６…音声処理部、
２７…ＣＰＵ、
２８…メインメモリ、
２９…プログラムメモリ、
３０…操作部、
３１…モータ駆動部、
３２…撮影画像処理部、
３４，３５…サーボモータ、
３６…撮影レンズ部、
３７…ＣＭＯＳイメージセンサ、
３８…Ａ／Ｄ変換回路、
Ｂ…システムバス、
Ｂ１〜Ｂ４…ボタン表示部、
Ｃ１〜Ｃ４…操作ボタン、
ＩＭ…撮影部、
ＰＡ…投影可能領域、
ＰＤ１，ＰＤ２…駆動機構、
ＲＤ１，ＲＤ２…ロッド、
ＳＢ…サイネージボード（メインスクリーン）、
ＳＰ…スピーカ部、
ＳＳ１，ＳＳ２…サブスクリーン。
【図１】
2016057478.tif 000003
【図２】
2016057478.tif 000004
【図３】
2016057478.tif 000005
【図４】
2016057478.tif 000006